(57)【要約】      （修正有）【課題】一人でも容易に装着することができ、装着した際の帯形状を体格や体型によって変更することができ、着姿を美しく見せることができる簡易装着帯を提供する。【解決手段】お太鼓部２と、胴巻用の単一の帯部４と、垂れ部６と、お太鼓部の内部及び帯部の先端部において、帯部の着用時長さを調整してお太鼓部の内部に固定可能に設けられた、一対の帯部用面ファスナ雄部１２ａ及び雌部１２ｂと、お太鼓部の内部及び上側折返し部において、お太鼓部の大きさを変更可能に設けられた、一対のお太鼓部用面ファスナ雄部及び雌部と、お太鼓部の内部及び垂れ部の折返し部において、垂れ部の大きさを変更可能に設けられた、一対の垂れ部用面ファスナ雄部及び雌部と、を設けて簡易装着帯を形成する。【選択図】図１
0003167683.tif 000002
【実用新案登録請求の範囲】
【請求項１】
お太鼓部と、
胴巻用の単一の帯部と、
垂れ部と、
前記お太鼓部の内部及び前記帯部の先端部において、前記帯部の着用時長さを調整して前記お太鼓部の内部に固定可能に設けられた、一対の帯部用面ファスナ雄部及び雌部と、
前記お太鼓部の内部及び上側折返し部において、前記お太鼓部の大きさを変更可能に設けられた、一対のお太鼓部用面ファスナ雄部及び雌部と、
前記お太鼓部の内部及び前記垂れ部の折返し部において、前記垂れ部の大きさを変更可能に設けられた、一対の垂れ部用面ファスナ雄部及び雌部と、
を有すること、
を特徴とする簡易装着帯。
【請求項２】
前記帯部に、前板用の収容部が設けられていること、
を特徴とする請求項１に記載の簡易装着帯。
【考案の詳細な説明】
【技術分野】
【０００１】
本考案は、一人でも容易に装着することができ、装着した際のお太鼓部及び垂れ部の形状を体格や体型によって変更することができる簡易装着帯に関する。
【背景技術】
【０００２】
着物にとって帯は非常に重要である。帯をきちんと締めて形作って結ぶことにより、着物が着崩れすることなく、帯と着物とを調和させて全体を美しく綺麗に着こなすことができる。
【０００３】
しかしながら、着物を着用するにあたっては帯を締めて結ぶ動作が煩雑であり、相当熟練しない限り、着物着用中に帯が緩んでズレが生じ、着物が着崩れてしまったりすることがある。そのため、普段着物を着用しない人にとっては、着物をきちんと着用することが困難であり、また、着物の着付けを一旦習得した人であっても、着物を着用する頻度が低いと着付けを忘れてしまい、やはり着物をきちんと着用できないことが多い。
【０００４】
このような理由から、着物を着用したい人は、一般的には、美容室、着物の着付け専門店又は知人の着物着用熟練者等に着付けを依頼して、着物を着用しており、着物は手軽には着用することができず、結果として、世代を問わず着物離れが起こっているのが現状である。
【０００５】
このような従来の問題点に鑑み、例えば特許文献１（登録実用新案第３１６３８３５号公報）においては、一人でも容易に装着することができ、装着した際の帯形状が良く、着姿を美しく見せることができる簡易装着帯を提供することを意図した簡易装着帯が提案されている。
【０００６】
特許文献１において提案されている簡易装着帯は、帯部（巻付け部）に帯結び部（お太鼓部）をスライド自在に設け、帯部長手方向一側と帯部長手方向他側とに着用者の体型に合わせて係着位置を調整可能にした面ファスナを設けて構成されるものである（特許文献１、要約及び図１参照）。
【先行技術文献】
【特許文献】
【０００７】
【特許文献１】登録実用新案第３１６３８３５号公報
【考案の概要】
【考案が解決しようとする課題】
【０００８】
しかしながら、特許文献１の簡易装着帯を装着する際には、帯部長手方向一側及び帯部長手方向他側の両方を把持して締め付けながら装着しなければならず、締める力が帯部長手方向一側と帯部長手方向他側との両方に分散してしまうため、お太鼓部の位置がズレたり、十分な強度をもって帯を結べなかったりするという問題があった。
【０００９】
また、特許文献１の簡易装着帯においては、お太鼓垂れ部（端折）を含むお太鼓部全体が一定の形状に固定されているため、お太鼓垂れ部やお太鼓部のサイズを変更することができず、着物を着用する人の体格や体型に応じて着物の着姿を美しく見せるという観点からは、未だ改善の余地があった。
【００１０】
そこで、本考案の目的は、一人でも容易に装着することができ、装着した際の帯形状を体格や体型によって変更することができ、着姿を美しく見せることができる簡易装着帯を提供することにある。
【課題を解決するための手段】
【００１１】
上記の課題を解決すべく、本考案は、
お太鼓部と、
胴巻用の単一の帯部と、
垂れ部と、
前記お太鼓部の内部及び前記帯部の先端部において、前記帯部の着用時長さを調整して前記お太鼓部の内部に固定可能に設けられた、一対の帯部用面ファスナ雄部及び雌部と、
前記お太鼓部の内部及び上側折返し部において、前記お太鼓部の大きさを変更可能に設けられた、一対のお太鼓部用面ファスナ雄部及び雌部と、
前記お太鼓部の内部及び前記垂れ部の折返し部において、前記垂れ部の大きさを変更可能に設けられた、一対の垂れ部用面ファスナ雄部及び雌部と、
を有すること、
を特徴とする簡易装着帯を提供する。
【００１２】
ここで、前記お太鼓部の内部及び前記帯部の先端部においては、一方に帯部用面ファスナ雄部が設けられ、他方に帯部用面ファスナ雌部が設けられている。また、前記お太鼓部の内部及び上側折返し部においては、一方にお太鼓部用面ファスナ雄部が設けられ、他方にお太鼓部用面ファスナ雌部が設けられている。更に、前記お太鼓部の内部及び前記垂れ部の折返し部においては、一方に垂れ部用面ファスナ雄部が設けられ、他方に垂れ部用面ファスナ雌部が設けられている。即ち、これらには一対の面ファスナ雄部及び雌部が設けられていればよく、いずれの側に雄部（又は雌部）が設けられていてもよい。
【００１３】
本考案の簡易装着帯によれば、単一の帯部の先端部に、帯部の着用時長さを調整してお太鼓部の内部に固定可能な帯部用面ファスナが設けられていることから、一人でもお太鼓部を抱えながら容易に装着することができ、お太鼓部の上側折返し部に、お太鼓部の大きさを変更可能なお太鼓部用面ファスナが設けられ、垂れ部の折返し部に、垂れ部の大きさを変更可能な垂れ部用面ファスナが設けられていることから、体格や体型に応じてお太鼓部や垂れ部の大きさを変更して着姿を美しく見せることができる。
【００１４】
上記本考案の簡易装着帯においては、
前記帯部に、前板用の収容部が設けられていること、が好ましい。
このような構成によれば、上記本考案の簡易装着帯は単一の帯部を有するため、少なくとも当該帯部のうちの当該簡易装着帯を着用した際に前面に位置する部分に、例えば二重にして収容部を形成することができ、ここに前板を挿入することにより、着用時の簡易装着帯の前面を整えて見映えを良くすることができる。
【考案の効果】
【００１５】
本考案によれば、一人でも容易に装着することができ、装着した際の帯形状を体格や体型によって変更することができ、着姿を美しく見せることができる簡易装着帯を提供することができる。
【図面の簡単な説明】
【００１６】
【図１】本考案の簡易装着帯の一実施形態の概略斜視図である。
【図２】図１に示す本考案の簡易装着帯のＸ−Ｘ線断面を示す概略縦断面図である。
【図３】図１における帯部４の部分を拡大した概略斜視図である。
【図４】本考案の一実施形態に係る簡易装着帯１の着用方法の一例を説明するための図である。
【図５】本考案の一実施形態に係る簡易装着帯１の着用方法の一例を説明するための別の図である。
【考案を実施するための最良の形態】
【００１７】
以下、図面を参照しながら本考案の簡易装着帯の代表的な一実施形態を説明するが、本考案はこれらのみに限定されるものではない。なお、各図面は、本考案を概念的に説明するためのものであるから、理解容易のために、必要に応じて寸法、比又は数を誇張又は簡略化して表している場合もある。
【００１８】
図１は、本考案の簡易装着帯の一実施形態の概略斜視図である。また、図２は、図１に示す本考案の簡易装着帯１のＸ−Ｘ線断面を示す概略縦断面図である。
【００１９】
図１に示すように、本実施形態の簡易装着帯１は、お太鼓部２と、お太鼓部２の左側面から延びるように設けられた単一の胴巻用の帯部４と、お太鼓部２の下側から延びるように設けられた垂れ部６と、お太鼓部２から帯部４側に延びるように露出して設けられた手部８と、を有しており、これらは縫製により結合している。
【００２０】
帯部４の先端部には、図１に示すように、帯部４を身体に巻きつけようとする際の身体側の面に、帯部４の着用時長さを調整してお太鼓部２の内部に固定可能な帯部用面ファスナ１０及び１２の雄部であるフック部（又は雌部であるループ部）１０ａ及び１２ａが設けられている。雄部であるフック部（又は雌部であるループ部）１０ａは、雄部であるフック部（又は雌部であるループ部）１２ａよりもやや大きい寸法を有している。
【００２１】
これに対応して、図２に示すように、お太鼓部２内の領域Ａ１には、帯部用面ファスナ１０及び１２の雌部である単一のループ部（又は雄部であるフック部）１０ｂ（１２ｂ）が設けられている。図示しないが、雌部である単一のループ部（又は雄部であるフック部）１０ｂ（１２ｂ）は、少なくとも雄部であるフック部（又は雌部であるループ部）１０ａ及び１２ａを同時に貼り付けられる大きさに相当する寸法を有している。
【００２２】
帯部４がその先端部から、図１に示す矢印Ｙの方向に、図２に示すお太鼓部２内の領域Ａ１に挿入されて締められ、帯部４の先端部に設けられたフック部（又はループ部）１０ａ及び１２ａが、お太鼓部２内に設けられたループ部（又はフック部）１０ｂ及び１２ｂに貼合せられることにより、簡易装着帯１が着用される。
【００２３】
このとき、帯部４の先端部において、フック部（又はループ部）１０ａはフック部（又はループ部）１２ａよりもやや大きい寸法を有していることから、まず、小さいほうのフック部（又はループ部）１２ａを、お太鼓部２内のループ部（又はフック部）１２ｂに貼り合せて位置合わせをし、ついで、大きいほうのフック部（又はループ部）１０ａを、お太鼓部２内のループ部（又はフック部）１２ｂに貼り合せて、強く結ぶことができる。
【００２４】
なお、帯部４の先端部をお太鼓部２内の領域Ａ１に挿入する際には、帯部用面ファスナ１０及び１２が他の部分に貼り付いて挿入しにくくならないように、帯部４の先端部を内側に折り返し、帯部用面ファスナ１０及び１２を隠しながら挿入してもよい。
【００２５】
また、図２に示すように、お太鼓部２の上側折返し部２ａのうちの内側（即ち、山折りにした際の折返し部の内側）の面には、お太鼓部２の大きさを変更可能なお太鼓部用面ファスナ１４のフック部（又はループ部）１４ａが設けられている。これに対応して、お太鼓部２の領域Ａ２には、お太鼓用面ファスナ１４のループ部（又はフック部）１４ｂが設けられている。
【００２６】
お太鼓部２がその上側折返し部２ａの先端から、図２に示す矢印Ｚの方向に、お太鼓部２内の領域Ａ２に挿入され、上側折返し部２ａの内側に設けられたフック部（又はループ部）１４ａが、お太鼓部２内に設けられたループ部（又はフック部）１４ｂに貼合せられることにより、お太鼓部２の大きさ（高さ）を所望の位置に設定することができる。
【００２７】
次に、図２に示すように、垂れ部６には、第一折返し部６ａと第一折返し部６ａに続く第二折返し部６ｂとを有しており、第二折返し部６ｂのうちの帯部４側の上側の面に、垂れ部用面ファスナ１６のフック部（又はループ部）１６ａが設けられている。これに対応して、お太鼓部２の領域Ａ２には、垂れ部６の上側の面に、垂れ部面ファスナ１６のループ部（又はフック部）１６ｂが設けられている。
【００２８】
このループ部（又はフック部）１６ｂは、その上端部が垂れ部６の上側の面に接続されており、接続部１６ｃから吊り下がっている状態で、お太鼓部２に設けられている。垂れ部６を所望の間隔で２度折返して第一折返し部６ａと第二折返し部６ｂとを形成し、第二折返し部６ｂに設けられたフック部（又はループ部）１６ａが、吊り下がっているループ部（又はフック部）１６ｂに貼合せられることにより、垂れ部６（特に第二折返し部６ｂ）の大きさ（長さ）を所望の位置に設定することができる。
【００２９】
ここで、図３は、図１においてお太鼓部２から繋がる帯部４の部分を拡大した概略斜視図である。図３に示すように、本実施形態の簡易装着帯１においては、帯部４を締めつけて簡易装着帯１を着用した際に、少なくとも帯部４のうちの身体の前面に対応する部分に、上側に開口を有する収容部１８が形成されている。
【００３０】
このような収容部１８があることから、簡易装着帯１を着用した状態で、帯部４のうちの身体の前面に対応する部分に、例えば厚紙や樹脂製の前板を収容して、前面を平坦にすることができ、着用時の簡易装着帯１の見映えを良くすることができる。
【００３１】
以上のような構成を有する本実施形態の簡易装着帯１の着用方法について簡単に説明する。図４及び図５は、図１〜図３を用いて説明した本実施形態の簡易装着帯１の着用方法の一例を説明するための図である。
【００３２】
まず、図４に示すように、右手でお太鼓部２をお腹の位置に抱きかかえ、左手で帯部４の先端部を引っ張る。そして、帯部４の先端部を、図１の矢印Ｙで示す方向から、図２に示すお太鼓部２のうちの領域Ａ１に挿入し、帯部４をきつく締め上げ、帯部４の先端に設けられたフック部（又はループ部）１０ａ及び１２ａを、お太鼓部２内に設けられたループ部（又はフック部）１０ｂ及び１２ｂに貼合せる。
【００３３】
このように、本実施形態の簡易装着帯１の場合、片方の手でお太鼓部２を抱えながら、他方の手で単一の帯部４を引っ張ることができるため、お太鼓部２が斜めに傾いたりすることなく、力強く帯部４を締め上げて、お太鼓部２内に貼り合わせて着用することができる。
【００３４】
この時点では、お太鼓部２はお腹の位置にある状態で簡易装着帯１を着用していることになるため、ついで、お太鼓部２を右又は左に回転させ、図５に示すように、腰の位置に保持し、帯留め２０等を装着することにより、簡易装着帯１を正常な位置に着用することができる。
【００３５】
以上、本考案の簡易装着帯の代表的な実施形態について説明したが、本考案はこれらのみに限定されるものではなく、本考案の技術的思想の範囲内で適宜の設計変更が可能であり、それらは全て本考案に含まれる。
【００３６】
例えば、上記実施形態では、図１に示すようにお太鼓部２の左側面から延びるように設けられた単一の胴巻用の帯部４を有する場合について説明したが、お太鼓部の右側面から延びるように設けられた単一の胴巻用の帯部を有していてもよい（例えば着用者が右利きか左利きかによって選択できる。）。
【００３７】
帯部４の先端部のうちのお太鼓部２側の面に、帯部４の着用時長さを調整してお太鼓部２の内部に固定可能な帯部用面ファスナ１０及び１２の雄部であるフック部（又は雌部であるループ部）１０ａ及び１２ａが設けられている場合について説明したが、帯部の先端部のうちのお太鼓部側の面には、単一の帯部用面ファスナの雄部であるフック部（又は雌部であるループ部）が設けられていていてもよい。
【００３８】
また、上記実施形態においては、お太鼓部２内の領域Ａ１に、帯部用面ファスナ１０及び１２の雌部である単一のループ部（又は雄部であるフック部）１０ｂ（１２ｂ）が設けられている場合について説明したが、帯部用面ファスナ１０及び１２の雄部であるフック部（又は雌部であるループ部）１０ａ及び１２ａに対応して、２つのループ部（又はフック部）１０ｂ及び１２ｂは設けられていてもよい。
【００３９】
また、上記実施形態においては、帯部４を締めつけて簡易装着帯１を着用した際に、帯部４のうちの身体の前面に対応する部分に、上側に開口を有する収容部１８が形成されている場合について説明したが、帯部の全体に収容部が設けられていてもよく、また、その一部の開口が縫製されていたり例えばチャック式の開閉部が設けられたりしていてもよい。
【００４０】
また、上記実施形態においては、各面ファスナが一対の雄部であるフック部と雌部であるループ部とで構成されている場合について説明したが、雄部及び雌部の構造については本考案の効果が得られる限り種々の変更が可能であり、従来公知の構造を適宜採用することができる。
【符号の説明】
【００４１】
１・・・簡易装着帯、
２・・・お太鼓部、
４・・・帯部、
６・・・垂れ部、
８・・・手部、
１０（１０ａ、１０ｂ）・・・帯部用面ファスナ、
１２（１２ａ、１２ｂ）・・・帯部用面ファスナ、
１４（１４ａ、１４ｂ）・・・お太鼓部用面ファスナ、
１６（１６ａ、１６ｂ）・・・垂れ部用面ファスナ、
１８・・・収容部、
２０・・・帯留め。
【図１】
0003167683.tif 000003
【図２】
0003167683.tif 000004
【図３】
0003167683.tif 000005
【図４】
0003167683.tif 000006
【図５】
0003167683.tif 000007